(57)【要約】【課題】手提げ袋状の使用態様と折畳み可能な使用態様を可能にするクリアファイルを提供すること。【解決手段】シート体を折り曲げ折曲線１２により第１シート部１１Ａと第２シート部１１Ｂを形成し、折曲線１２に交わる端辺が接合端辺１３に形成され、折曲線１２に対向する位置の端辺が開口端辺１４に形成されてなるクリアファイル１０であって、第１シート部１１Ａおよび第２シート部１１Ｂの開口端辺１４を含む所要範囲が第１把持部１５Ａ，第２把持部１５Ｂに形成され、第１シート部１１Ａには、第１把持部１５Ａを切り離す第１切込線１６と、折曲線１２の中途位置で接合端辺１３と平行に延びる折畳線１７が形成され、第２シート部１１Ｂには、折曲線１２を起点にして折畳線１７に重複する所要幅範囲と第２把持部１５Ｂの全体を含む所要領域を切除するための第２切込線１８が形成されていることを特徴とする。【選択図】図１
2020006573.tif 000002
【特許請求の範囲】
【請求項１】
シート体を半分に折り曲げて折曲線により第１シート部と第２シート部を形成し、前記折曲線に交わる前記第１シート部および前記第２シート部の端辺どうしが所要長さ範囲にわたって接合されて対向する２つの接合端辺に形成され、前記折曲線に対向する位置の端辺が開口端辺に形成されてなるクリアファイルであって、
前記第１シート部および前記第２シート部の前記開口端辺を含む所要範囲がそれぞれ第１把持部と第２把持部に形成されていて、
前記第１シート部には、前記第１把持部を切り離すための第１切込線と、前記折曲線の長さ方向中途位置において前記接合端辺と平行に延び、前記第１シート部を前記折曲線の長さ方向中途位置において折畳むための折畳線がそれぞれ形成され、
前記第２シート部には、前記折曲線を起点にすると共に前記折畳線との重複部分を含む所要幅範囲と前記第２把持部の全体を含む所要領域を切除するための第２切込線が形成されていることを特徴とするクリアファイル。
【請求項２】
前記第２切込線は、前記折畳線に平行な平行線と前記開口端辺への接近に伴い前記折畳線から徐々に離反する離反線を有していることを特徴とする請求項１記載のクリアファイル。
【請求項３】
前記平行線と前記離反線とを結ぶ湾曲線をさらに有していることを特徴とする請求項２記載のクリアファイル。
【請求項４】
前記離反線は、前記開口端辺の側における所定範囲にわたって前記接合端辺と平行に形成された接合端辺側平行線を介して前記第２把持部に到達していることを特徴とする請求項２または３記載のクリアファイル。
【請求項５】
前記第２シート部に前記第２把持部を前記所要領域から切り離すための第３切込線が形成されていることを特徴とする請求項１〜４のうちのいずれか一項に記載のクリアファイル。
【発明の詳細な説明】
【技術分野】
【０００１】
本発明はクリアファイルに関し、より詳細には手提げ袋として使用した後に、平面サイズを半分程度に縮小するため折り畳んだ状態での使用が可能なクリアファイルに関する。
【背景技術】
【０００２】
書類や紙片を収納する際においては、収納具としてクリアファイルが広く用いられている。近年では、手提げ袋として使用した後に、手提げ袋の一部を切り取りすることで通常のクリアファイルとして使用することができる構成（特許文献１）が提案されている。
【０００３】
これら特許文献１に開示されているクリアファイルの構成は、他の製品の一部にクリアファイルとして使用する部分を含めておき、必要に応じて製品の一部を切り取りすることでクリアファイルとして使用することができるものである。
【先行技術文献】
【特許文献】
【０００４】
【特許文献１】実用新案登録第３１１５７１０号公報
【発明の概要】
【発明が解決しようとする課題】
【０００５】
特許文献１に示す構成では、大きな平面サイズのクリアファイルをコンパクトな状態にすることができないといった課題がある。
【課題を解決するための手段】
【０００６】
そこで本願発明は、手提げ袋として使用した後に、簡単な操作でクリアファイルの平面サイズを大幅に縮小させることができるよう折畳むことを可能にしたクリアファイルの提供を目的としている。
【０００７】
上記課題を解決するため本出願の発明者が鋭意研究した結果、以下の構成に想到した。すなわち、本発明は、シート体を半分に折り曲げて折曲線により第１シート部と第２シート部を形成し、前記折曲線に交わる前記第１シート部および前記第２シート部の端辺どうしが所要長さ範囲にわたって接合されて対向する２つの接合端辺に形成され、前記折曲線に対向する位置の端辺が開口端辺に形成されてなるクリアファイルであって、前記第１シート部および前記第２シート部の前記開口端辺を含む所要範囲がそれぞれ第１把持部と第２把持部に形成されていて、前記第１シート部には、前記第１把持部を切り離すための第１切込線と、前記折曲線の長さ方向中途位置において前記接合端辺と平行に延び、前記第１シート部を前記折曲線の長さ方向中途位置において折畳むための折畳線がそれぞれ形成され、前記第２シート部には、前記折曲線を起点にすると共に前記折畳線との重複部分を含む所要幅範囲と前記第２把持部の全体を含む所要領域を切除するための第２切込線が形成されていることを特徴とするクリアファイルである。
【０００８】
これにより、手提げ袋としての使用後にクリアファイルの一部を切取線に沿って切り離すだけで折畳み可能なクリアファイルを得ることができ、様々な場面においてクリアファイルの持ち運びが容易になる。そして、折り畳んだ際の内側部分には書類の脱落を防止するためのポケットを形成することができる。
【０００９】
また、前記第２切込線は、前記折畳線に平行な平行線と前記開口端辺への接近に伴い前記折畳線から徐々に離反する離反線を有していることが好ましい。
【００１０】
これにより、折り畳んだ際の内側部分の切除部分を容易に切除することができる。
【００１１】
また、前記平行線と前記離反線とを結ぶ湾曲線をさらに有していることが好ましい。
【００１２】
これにより、平行線と離反線の境界部分で不本意な裂け目の発生を防止することができ、折り畳み式のクリアファイルをきれいに仕上げることができる。
【００１３】
また、前記離反線は、前記開口端辺の側における所定範囲にわたって前記接合端辺と平行に形成された接合端辺側平行線を介して前記第２把持部に到達していることが好ましい。
【００１４】
これにより、第２切込線に沿って第２シート部を切除する際に、開口端辺側における接合端辺の破損を防止することができる。
【００１５】
また、前記第２シート部に前記第２把持部を前記所要領域から切り離すための第３切込線が形成されていることが好ましい。
【００１６】
これにより、手提げ袋としての使用形態の後、第２把持部のみを切除することにより通常のクリアファイルとしての使用と折畳み可能なクリアファイルとしての使用を適宜選択することができる。
【発明の効果】
【００１７】
本発明にかかるクリアファイルの構成を採用することにより、手提げ袋として使用した後に、簡単な操作でクリアファイルの平面サイズを大幅に縮小させることができるよう折畳むことを可能にしたクリアファイルを提供することができる。
【図面の簡単な説明】
【００１８】
【図１】第１実施形態におけるクリアファイルの手提げ袋状態としての正面図（Ａ）および背面図（Ｂ）である。
【図２】図１に示すクリアファイルから正面側把持部を含む所定範囲を除去した状態を示す正面図である。
【図３】図２に示すクリアファイルから背面側把持部を除去した状態を示す背面図である。
【図４】図３に示すクリアファイルに紙を収容した状態を示す背面図である。
【図５】図４に示す紙を収容したクリアファイルを折畳んだ状態を示す正面図である。
【図６】第２実施形態におけるクリアファイルの背面図である。
【図７】図６のクリアファイルから正面側把持部と背面側把持部を除去した状態を示す背面図である。
【図８】本発明におけるクリアファイルの変形例を示す背面図である。
【図９】本発明におけるクリアファイルの変形例を示す背面図である。
【図１０】本発明におけるクリアファイルの変形例を示す背面図である。
【発明を実施するための形態】
【００１９】
以下、本発明にかかるクリアファイルについて実施形態に基づきながら詳細に説明する。
【００２０】
（第１実施形態）
本実施形態におけるクリアファイル１０は、図１に示すように、矩形状のシート体を長手方向の中央部分に形成した折曲線１２の位置で折り曲げ、折曲線１２と直角に交わる第１シート部１１Ａおよび第２シート部１１Ｂの端辺どうしを所要長さ範囲にわたって対向する２つの接合端辺１３とし、折曲線１２に対向する位置の端辺を開口端辺１４にすることにより形成されている。ここでは、超音波接合により接合端辺１３を形成しているが、熱圧着等の他の公知の方法で接合端辺１３を形成することもできる。開口端辺１４を含む所要範囲は第１シート部１１Ａおよび第２シート部１１Ｂからなる二重の舌片体に形成されており、それぞれの舌片体の中央部分に開口部ＯＰＡ，ＯＰＢを形成することにより第１把持部１５Ａと第２把持部１５Ｂがそれぞれ形成されている。なお、それぞれの舌片体にフラップ部を形成することにより第１把持部１５Ａと第２把持部１５Ｂを形成してもよい。
【００２１】
ここでは、図１に示すように矩形状のシート体を用いた矩形状のクリアファイル１０を例示しているが、目標とするクリアファイル１０の平面形状に応じて、使用するシート体の形状は適宜変更させることができる。
【００２２】
図１（Ａ）に示すように、第１シート部１１Ａには、接合端辺１３の開口端辺１４の側の終端部位置どうしを結び折曲線１２に平行に形成された第１切込線１６と、折曲線１２の長さ方向中途位置において接合端辺１３と平行に延び、折曲線１２から第１切込線１６に至る折畳線１７が形成されている。
【００２３】
第１切込線１６は、第１切込線１６の位置で第１シート部１１Ａの第１把持部１５Ａを切除するためのものである。具体的には、使用者が第１切込線１６を挟んだ第１シート部１１Ａの２箇所を手で引っ張る程度の力をかけることで、第１切込線１６を境界線として第１シート部１１Ａを分離させることができるものである。このような第１切込線１６としては、ハーフカットやミシン目等を例示することができる。
【００２４】
折畳線１７は、折畳線１７の位置で第１シート部１１Ａを折り曲げするためのものである。このような折畳線１７としては、第１シート部１１Ａの厚さ方向における凹状の変形部を例示することができる。本実施形態においては、折畳線１７を折曲線１２の長さ方向における中央位置に形成した。
【００２５】
また、図１（Ｂ）に示すように、第２シート部１１Ｂには、折曲線１２を起点にすると共に、折畳線１７に重複する部分を含む所要幅範囲と第２シート部１１Ｂの第２把持部１５Ｂの全体を含む所要領域を切除するための第２切込線１８が形成されている。本実施形態における第２切込線１８は、折曲線１２を起点として折畳線１７に平行に延びる平行線１８Ａと、開口端辺１４への接近に伴い折畳線１７から徐々に離反する離反線１８Ｂが湾曲線１８Ｃにより接続されている。また、離反線１８Ｂの開口端辺１４の側の端部は、開口端辺１４の側の所定範囲において接合端辺１３に平行に形成された接合端辺側平行線１８Ｄを介して第２シート部１１Ｂの第２把持部１５Ｂに到達している。このように本実施形態における第２切込線１８は、平行線１８Ａ，湾曲線１８Ｃ，離反線１８Ｂ，接合端辺側平行線１８Ｄにより形成されている。第２切込線１８も第１切込線１６と同様に、ハーフカットやミシン目を採用することができる。なお、折畳線１７を中心として対向する平行線１８Ａの起点部分の間における折曲線１２は、第１シート部１１Ａと第２シート部１１Ｂとを分断することが可能な切込線に変更されている。
【００２６】
図１に示すように、本実施形態における当初状態のクリアファイル１０は、第１把持部１５Ａと第２把持部１５Ｂを有しており、手提げ袋のようにして使用することが可能になっている。このような形態のクリアファイル１０にすることで、クリアファイル１０を手提げ袋状にして持ち運びすることができるため、パンフレット等を収容したクリアファイル１０を配布対象者が受け取り易くなる。このため、パンフレット等の配布効率の向上が期待できる点において好都合である。
【００２７】
また、本実施形態におけるクリアファイル１０は、第１把持部１５Ａおよび第２把持部１５Ｂと第１把持部１５Ａおよび第２把持部１５Ｂを含む所要範囲を切除することで、手提げ袋状のクリアファイル１０の態様から折畳み可能なクリアファイル１０にすることができる。以下に、図２および図３に基づいて手提げ袋状のクリアファイル１０の態様から折畳み可能なクリアファイル１０の態様への変更方法の一例について説明する。
【００２８】
図２に示すように、第１シート部１１Ａの第１切込線１６に沿って図２中のハッチング部分である第１切除対象部２０Ａを切除する。ここでは、第１シート部１１Ａの第１把持部１５Ａの部分が第１切除対象部２０Ａになっている。続いて図３に示すように、第２シート部１１Ｂの第２切込線１８に沿って第２シート部１１Ｂの第２把持部１５Ｂを含む所要範囲（図３中のハッチング部分）である第２切除対象部２０Ｂを切除する。第２切込線１８は直線状の平行線１８Ａと斜めの離反線１８Ｂとが円弧状の湾曲線１８Ｃにより接続されているので、略Ｔ字形状である第２切除対象部２０Ｂを上側部分と下側部分とで分断させることなく容易に切除することができる。第２切込線１８に沿って第２シート部１１Ｂの第２切除対象部２０Ｂを切除すると、折畳線１７を中心軸とする対称位置に第２切込線１８が開口端縁となるポケット１９が２箇所に形成される。
【００２９】
このようにして第１把持部１５Ａおよび第２把持部１５Ｂが切除されたクリアファイル１０は、図４に示すようにポケット１９を有する折畳み可能な形態にすることができる。ポケット１９の部分にパンフレット等の紙葉類３０を収容し、折畳線１７に沿って第１シート部１１Ａを折り畳めば、図５に示すように平面サイズを半分にすることができる。例えば、収容した紙葉類３０がＡ４サイズであった場合、折り畳むことによりＡ５サイズにすることができる。
【００３０】
本実施形態におけるクリアファイル１０は、当初は手提げ袋状態様で使用することができ、必要に応じて第１切除対象部２０Ａおよび第２切除対象部２０Ｂを切除することにより、クリアファイル１０の平面サイズを半分にすることができる。これにより、クリアファイル１０およびその収容物を女性のハンドバッグのような収容容積の小さい収容体に収容することができる。第２切除対象部２０Ｂは折畳線１７との重複部分における第２シート部１１Ｂを所要幅範囲で切除しているので、クリアファイル１０を折り畳む際に、折畳線１７部分を第１シート部１１Ａのみにすることができるから、折り畳み後のクリアファイル１０を薄くすることができる点においても好都合である。
【００３１】
（第２実施形態）
本実施形態においては、手提げ袋状に使用可能なクリアファイル１０から一般的なクリアファイル１０にすることもできる形態について説明する。本実施形態においては、第１実施形態と同様の構成については、第１実施形態で用いた符号を図中に用いることで、ここでの詳細な説明を省略している。
【００３２】
図６に示すように第２シート部１１Ｂに把持部１５Ｂのみを切り離すための第３切込線４０をさらに有している点が特徴的である。手提げ袋状の態様での使用を終えた使用者は、第１切込線１６と第３切込線４０の部分から第１把持部１５Ａおよび第２把持部１５Ｂを切除することで、図７に示すような第１切込線１６と第３切込線４０を開口端辺とする一般的なクリアファイル１０にすることができる。第３切込線４０は、第１切込線１６および第２切込線１８と同様にハーフカットやミシン目を用いることができる。
【００３３】
使用者は、折畳み可能なクリアファイル１０にしたい場合には、第２切込線１８に沿って第２シート部１１Ｂの第３切除対象部２１Ｂ（図７中のハッチング部分）を切除することで、第１実施形態における折畳み可能なクリアファイル１０の形態にすることができる。
【００３４】
本実施形態によれば、手提げ袋状の使用形態と、一般的な使用形態と、折畳み可能な使用形態の３通りの使用形態とすることができる点で好都合である。
【００３５】
以上に本実施形態におけるクリアファイル１０について詳細に説明したが、本発明は以上の実施形態に限定されるものではない。例えば、以上に示した実施形態においては、接合端辺１３はそれぞれ折曲線１２に対して直交した状態になっているが、折曲線１２に対して非直交で交わる接合端辺１３とすることもでき、対向する接合端辺１３が非平行状態で対向するものであってもよい。
【００３６】
また、以上の実施形態においては第２切込線１８に沿って第２シート部１１Ｂの第２把持部１５Ｂを含む所要範囲を切除することで折畳線１７を中心軸とする線対称位置となる２箇所に同一形状のポケット１９を形成しているが、第２切込線１８の形状を変更すれば、図８に示すようにそれぞれ異なる形状のポケット１９を形成することもできる。このようにポケット１９の形状は同一である必要はない。
【００３７】
また、図９に示すように、第２切込線１８を折畳線１７に平行な平行線１８Ａと平行線１８Ａに直交し、第１切込線１６と重複する位置に配した直交線１８Ｅとにより形成することもできる。このように、第２シート部１１Ｂにおいては、第２把持部１５Ｂと、折畳線１７との重複部分における所要幅範囲と、をそれぞれ切除することを可能にする第２切込線１８を適宜設けることで、折畳み使用時においてクリアファイル１０の厚さを抑えることができる。
【００３８】
さらには、図１０に示すように、折曲線１２と平行線１８Ａとの交差部分と、離反線１８Ｂと接合端辺側平行線１８Ｄとの交差部分と、のそれぞれに、円弧状線や湾曲線等に代表されるアール線部５０を配するようにしてもよい。これにより、第２切除対象部２０Ｂや第３切除対象部２１Ｂの切除後に、エッジ状になった第２切除対象部２０Ｂや第３切除対象部２１Ｂおよび第２シート部１１Ｂによる怪我を防止することができる点において好都合である。なお、図示はしないが、離反線１８Ｂの接合端辺１３の側の端部に接合端辺側平行線１８Ｄの配設領域を含む大きさのアール線部５０を設ければ、接合端辺側平行線１８Ｄの構成は省略することもできる。
【００３９】
また、以上の実施形態における折畳線１７は、折曲線１２の長さ方向における中央位置に配した形態について説明したが、折畳線１７の配置位置は折曲線１２の長さ方向における中央位置に限定されるものではない。
【００４０】
そして以上の変形例の他、実施形態において説明した形態を適宜組み合わせた構成を採用することも可能である。
【符号の説明】
【００４１】
１０  クリアファイル，
１１Ａ  第１シート部，１１Ｂ  第２シート部，
１２  折曲線，１３  接合端辺，１４  開口端辺，
１５Ａ  第１把持部，１５Ｂ  第２把持部，１６  第１切込線，１７  折畳線，
１８  第２切込線，
１８Ａ  平行線，１８Ｂ  離反線，１８Ｃ  湾曲線，１８Ｄ  接合端辺側平行線，
１８Ｅ  直交線，
１９  ポケット，
２０Ａ  第１切除対象部，２０Ｂ  第２切除対象部，２１Ｂ  第３切除対象部，
３０  紙葉類，
４０  第３切込線，
５０  アール線部，
ＯＰＡ  開口部，ＯＰＢ  開口部
【図１】
2020006573.tif 000003
【図２】
2020006573.tif 000004
【図３】
2020006573.tif 000005
【図４】
2020006573.tif 000006
【図５】
2020006573.tif 000007
【図６】
2020006573.tif 000008
【図７】
2020006573.tif 000009
【図８】
2020006573.tif 000010
【図９】
2020006573.tif 000011
【図１０】
2020006573.tif 000012